(57)【要約】【課題】    地球人口の増加と文明の発展は、化石燃料の大量消費を招き、化石資源の枯渇問題と地球気象の温暖化現象を引き起こしました。今私たちが地球温暖化現象を阻止しなければなりません。そして地球の未来のために化石資源を保存しなければなりません。そこで本発明は、地球上に無尽蔵にある水と空気を、自然の法則にしたがって活用して、無害で安全な新エネルギーを大量に獲得することである。【解決手段】    密封した外壁水槽４の中央に、シャフト１を装置して、シャフト１に圧縮空気浮タンク２と羽根８と間仕切水槽３を固定して、圧縮送風機１０より圧縮空気６を圧縮空気浮タンク２の内部に送風する。圧縮空気６は、圧縮空気浮タンク２を満杯にして羽根８部に移行し、上昇水流５と合流して、シャフト１に毎秒一回転の回転動力を惹起する。【選択図】図２
2010059950.tif 000002
【特許請求の範囲】
【請求項１】
密閉した外壁水槽４の中心に、シャフト１と圧縮空気浮タンク２を固定して、圧縮空気浮タンク２内に圧縮空気６を、圧縮空気浮タンク２の最下部より注入して、圧縮空気浮タンク２の最下部の高さが、水深に比例して常時一定に圧縮空気浮タンク２の浮力を保持する、圧縮空気浮タンク２の装置。
【請求項２】
密閉した外壁水槽４の中心にシャフト１を装置し、そのシャフト１に圧縮空気浮タンク２と羽根８及び間仕切水槽３を固定して、羽根８部に圧縮空気６と水７を合流させて、圧縮空気６のエネルギーと上昇水流１１のエネルギーによって、シャフト１に回転エネルギーを惹起する、その装置。
【請求項３】
密閉した外壁水槽４の中心にシャフト１を装置し、そのシャフト１に圧縮空気浮タンク２と羽根８と間仕切水槽３を固定して、圧縮空気６の浮力と羽根８部を上昇する圧縮空気６との浮力の和によって、シャフト１にかかる総重量を無重量化するための、シャフト１と圧縮空気浮きタンク２と羽根８と間仕切水槽３の装置。
【請求項４】
密閉した外壁水槽４の中心にシャフト１を装置し、圧縮空気浮タンク２と羽根８と間仕切水槽３を固定して、圧縮送風機１０より圧縮空気６を、圧縮空気浮タンク２の部分と羽根８部分に送風して、圧縮空気６は上昇圧縮空気５となり、水７は上昇水流１１となり、両者は水面１４上で水７と圧縮空気６となり、共に循環して再利用する、その装置。
【発明の詳細な説明】
【技術分野】
【０００１】    本発明は、新エネルギーを発生さす装置とその方法で、新エネルギー分野になる。
【背景技術】
【０００２】
【特許文献１】    ［発行国］日本国特許庁（ＪＰ）  ［公報種別］公開特許公報（Ａ）  ［公開番号］特開２００２−２２１１４７（Ｐ２００２−２２１４７Ａ）  ［公開日］平成１４年８月９日（２００２．８．９）  ［発明の名称］水と空気で発電する装置とその方法
【発明の開示】
【発明が解決しようとする課題】
【０００３】    高まる健康志向のニーズに対応するために、地球温暖化防止と環境破壊に対して、人間の英知を結集して地球の自然環境を防護しなければならない。そこで本発明は、化石燃料を消費しないで、地球上に無尽蔵に存在する水と空気を、自然の法則にしたがって活用し、社会に無害で安全なエネルギーを大量に提供するものである。
【課題を解決するための手段】
【０００４】    上記目的を達成するために、密封した外壁水槽４を設置する。【０００５】    上記目的を達成するために、密封した外壁水槽４の中心にシャフト１を設置する。【０００６】    上記目的を達成するために、密封した外壁水槽４にシャフト１を設置して、シャフト１に圧縮圧縮空気浮タンク２を固定設置する。【０００７】    上記目的を達成するために、密封した外壁水槽４の中心にシャフト１と圧縮空気浮タンク２を固定設置する。【０００８】      上記目的を達成するために、密封した外壁水槽４の中央にシャフト１と圧縮空気浮タンク２を固定設置する。【０００９】      上記目的を達成するために、密封した外壁水槽４の中央にシャフト１と圧縮空気浮タンク２及び羽根８固定設置する。【００１０】      上記目的を達成するために、密封した外壁水槽４の中央にシャフト１と圧縮空気浮タンク２と羽根８及び間仕切水槽３を固定設置する。【００１１】      上記目的を達成するために、密封した外側水槽４の中央にシャフト１に固定設置した、圧縮空気浮タンク２と圧縮空気浮タンク２に固定設置した羽根８及び羽根８に固定設置した間仕切水槽３の最下部に圧縮空気６を送風するための、圧縮送風機１０を設置する。
【発明の効果】
【００１２】      上記目的を達成するために、密封した外壁水槽４の中央に、シャフト１に圧縮空気浮タンク２と、圧縮空気浮タンク２に固定した羽根８と、羽根８に固定した間仕切水槽３を固定設置して、圧縮空気浮タンク２の内側に、圧縮送風機１０で加速した圧縮空気６を送風して、上昇圧縮空気５と上昇水流１１を発生させる。【００１３】      上記目的を達成するために、圧縮送風機１０で加速した圧縮空気６は、圧縮空気浮タンク２の最下部水圧と、水圧下にある圧縮空気浮タンク２の最下部の高さに比例して、圧縮空気浮タンク２内部の浮力は一定して、圧縮空気浮タンク２内部の浮力と上昇圧縮空気５は、シャフト１にかかる全重量の無重量化を図る。【００１４】      上記目的を達成するために、圧縮空気浮タンク２内部の浮力が一定すると、圧縮送風機１０で加速した圧縮空気６は、羽根８部に移動し上昇圧縮空気５となり、上昇圧縮空気５の浮力と上昇上昇水流１１のエネルギーが合流して、シャフト１に回転エネルギーを惹起する。【００１５】      上記目的を達成するために、圧縮送風機１０で加速した圧縮空気６は、羽根８部に移動し上昇水流１１と合流して羽根８を介して、シャフト１に、一秒速一回転の回転エネルギーを惹起する。【００１６】      上記目的を達成するために、シャフト１にかかる全重量を無重量化して、上昇圧縮空気５の浮力と上昇水流１１のエネルギーを、羽根８を介してシャフト１に、一秒速一回転の回転エネルギーを惹起して、シャフト１に惹起した回転エネルギーを、回転動力伝動装置９により獲得する。
【発明を実施するための最良の形態】
【００１７】    本発明は、密封した外壁水槽４の中心に、シャフト１を装置して、そのシャフト１に圧縮空気浮タンク２と羽根８と間仕切水槽３を固定して、水力、風力、波力、原子力、人力、本発明自体などで得た圧縮空気６を圧縮送風機１０より送風して、シャフト１に新エネルギーの惹起を発生させる。
【実施例】
【００１８】    以上説明したように、上記のように実施する。
【産業上の利用可能性】
【００１９】    本発明は、水と空気を利用して、密閉した外壁水槽４の内側で、新エネルギーを獲得するものであるから、騒音や大気汚染の心配が無く、回転動力の提供及び回転動力を利用して発電する電気を、家庭や産業に提供するのであるから、新エネルギー開発は、産業上無限の利用可能性を秘める。
【図面の簡単な説明】
【００２０】
【図１】      Ａ―  ―Ａ’平面図
【００２１】
【図２】      Ｂ―  ―Ｂ’断面図
【符号の説明】
１シャフト１
２圧縮空気浮タンク２
３間仕切水槽３
４外壁水槽４
５上昇圧縮空気５
６圧縮空気６
７水７
８羽根８
９回転動力伝動装置９
１０圧縮送風機１０
１１上昇水流１１
１２下降水流１２
１３圧縮空気輸送管１３
１４水平線１４
【図１】
2010059950.tif 000003
【図２】
2010059950.tif 000004